(57)【要約】【課題】操作者の身体的特徴によらず，操作パネルの表示画面の表示内容を認識し易い画像形成装置を提供すること。【解決手段】操作パネル９０では，設定情報検知部９０１にてカラー表示／モノクロ表示の切換えのために設定された情報を検知する。例えば，操作パネル９０に設けられた表示切換ボタンのオンオフを検知する。表示モード選択部９０２では，検知された設定に応じて操作パネル９０の表示画面の内容を決定し，その決定に沿った指示を表示制御部９０３に送る。表示制御部９０３では，表示モード選択部９０２からの指示に応じてカラー表示／モノクロ表示の切換えを行う。【選択図】            図３
2005342951.tif 000002
【特許請求の範囲】
【請求項１】
出力条件の表示を行う表示部を有し，その出力条件に従って画像を形成する画像形成装置において，
前記表示部の表示モードとして，カラー表示を行うカラーモードと，モノクロ表示を行うモノクロモードとの選択が可能であり，
表示モードの設定情報を検知する表示属性検知部と，
前記表示属性検知部にて検知された設定情報に応じて表示モードを選択する表示モード選択部と，
前記表示モード選択部にて選択された表示モードに応じて前記表示部を制御する表示制御部とを有することを特徴とする画像形成装置。
【請求項２】
請求項１に記載する画像形成装置において，
前記表示属性認識部は，操作者のキー入力によって表示モードの切換え指示を検知することを特徴とする画像形成装置。
【請求項３】
出力条件の表示を行うとともに傾斜角度の調節が可能な表示部を有し，その出力条件に従って画像を形成する画像形成装置において，
前記表示部の表示モードとして，カラー表示を行うカラーモードと，モノクロ表示を行うモノクロモードとの選択が可能であり，
前記表示部の傾斜角度を検知する角度検知部と，
前記角度検知部にて検知された傾斜角度に応じて表示モードを選択する表示モード選択部と，
前記表示モード選択部にて選択された表示モードに応じて前記表示部を制御する表示制御部とを有することを特徴とする画像形成装置。
【請求項４】
出力条件の表示を行う表示部を有し，その出力条件に従って画像を形成する画像形成装置において，
前記表示部の表示モードとして，カラー表示を行うカラーモードと，モノクロ表示を行うモノクロモードとの選択が可能であり，
前記表示部の周囲の明るさを検知する明るさ検知部と，
前記明るさ検知部にて検知された明るさに応じて表示モードを選択する表示モード選択部と，
前記表示モード選択部にて選択された表示モードに応じて前記表示部を制御する表示制御部とを有することを特徴とする画像形成装置。
【請求項５】
出力条件の表示を行う表示部を有し，その出力条件に従って画像を形成する画像形成装置において，
前記表示部の表示モードとして，カラー表示を行うカラーモードと，モノクロ表示を行うモノクロモードとの選択が可能であり，
操作者の情報を記憶する操作者情報記憶部と，
操作者の情報を取得する操作者情報取得部と，
前記操作者情報取得部にて取得された情報を前記操作者情報記憶部にて記憶されている情報と照合することにより操作者を特定する操作者特定部と，
前記操作者特定部にて特定された操作者に応じて表示モードを選択する表示モード選択部と，
前記表示モード選択部にて選択された表示モードに応じて前記表示部を制御する表示制御部とを有することを特徴とする画像形成装置。
【請求項６】
請求項５に記載する画像形成装置において，
前記操作者情報取得部は，指紋を採取することが可能であり，
前記操作者特定部は，前記操作者情報取得部にて採取された指紋と，前記操作者情報記憶部に記憶されている指紋とを照合して操作者を特定することを特徴とする画像形成装置。
【請求項７】
請求項５に記載する画像形成装置において，
前記操作者情報取得部は，前記操作パネル部に設けられたキーの入力によって操作者の認識番号を取得することが可能であり，
前記操作者特定部は，前記操作者情報取得部にて取得された認識番号と，前記操作者情報記憶部に記憶されている認識番号とを照合して操作者を特定することを特徴とする画像形成装置。
【請求項８】
出力条件の表示を行う表示部を有し，その出力条件に従って画像を形成する画像形成装置において，
前記表示部の表示モードとして，カラー表示を行うカラーモードと，モノクロ表示を行うモノクロモードとの選択が可能であり，
画像形成装置の出力条件がカラー画像出力であればカラーモードを選択し，画像形成装置の出力条件がモノクロ画像出力であればモノクロモードを選択する表示モード選択部と，
前記表示モード選択部にて選択された表示モードに応じて前記表示部を制御する表示制御部とを有することを特徴とする画像形成装置。
【請求項９】
請求項１または請求項２に記載する画像形成装置において，
前記表示部の表示切換モードとして，表示モードを操作者が手動で切り換える手動切換モードと，表示モードを自動的に切り換える自動切換モードとの選択が可能であり，
前記表示モード選択部は，手動切換モードの場合には，前記表示属性検知部にて検知された情報に応じて表示モードを選択し，自動切換モードの場合には，画像形成装置の出力条件に応じて表示モードを選択することを特徴とする画像形成装置。
【請求項１０】
請求項３に記載する画像形成装置において，
前記表示部の表示切換モードとして，表示モードを操作者が手動で切り換える手動切換モードと，表示モードを自動的に切り換える自動切換モードとの選択が可能であり，
表示モードの設定情報を検知する表示属性検知部を有し，
前記表示モード選択部は，手動切換モードの場合には，前記表示属性検知部にて検知された設定情報に応じて表示モードを選択し，自動切換モードの場合には，前記角度検知部にて検知された傾斜角度に応じて表示モードを選択することを特徴とする画像形成装置。
【請求項１１】
請求項４に記載する画像形成装置において，
前記表示部の表示切換モードとして，表示モードを操作者が手動で切り換える手動切換モードと，表示モードを自動的に切り換える自動切換モードとの選択が可能であり，
表示モードの設定情報を検知する表示属性検知部を有し，
前記表示モード選択部は，手動切換モードの場合には，前記表示属性検知部にて検知された設定情報に応じて表示モードを選択し，自動切換モードの場合には，前記明るさ検知部にて検知された明るさに応じて表示モードを選択することを特徴とする画像形成装置。
【発明の詳細な説明】
【技術分野】
【０００１】
本発明は，各種の設定の表示を行う操作画面を備えた画像形成装置に関する。さらに詳細には，操作者の要求に応じて操作画面の表示形式を変更することが可能な画像形成装置に関する。
【背景技術】
【０００２】
従来から，画像形成装置には，出力条件の設定を行うための操作パネルが設けられている。また，操作パネルには，出力条件の設定内容や警告メッセージ等を表示するための，液晶の表示画面が設けられている。さらに，この表示画面からも出力条件の設定を行うことができる。近年，画像形成装置の多機能化により，表示画面の内容が煩雑になってきている。そのような煩雑な表示内容を操作者にとってわかり易いものとするため，操作パネルの表示画面をカラー化している画像形成装置が採用されている。
【０００３】
画像形成装置の操作パネルについての技術は，これまでにいくつか開示されている。例えば，操作パネルの傾斜角度に応じて表示画面の表示内容を変更する技術が開示されている（例えば，特許文献１）。また，操作パネルの角度や操作パネルの周囲の明るさに応じて表示画面のコントラストを変更する技術が開示されている（例えば，特許文献２）。また，操作者に応じて表示内容の文字色，濃度，大きさ等を変更する技術が開示されている（例えば，特許文献３）。
【特許文献１】特開２００３−３２３０８４号公報
【特許文献２】特開平８−１７１３７７号公報
【特許文献３】特開２００３−３３７５０５号公報
【発明の開示】
【発明が解決しようとする課題】
【０００４】
しかしながら，従来の画像形成装置には，次のような問題があった。すなわち，従来の操作パネルの表示画面は，カラー表示もしくはモノクロ表示のいずれか一方しか表示できない。そのため，操作者によっては，表示画面の表示内容が見え難くなってしまう。具体的には，カラー表示を行った場合，確かに健常者にとってはわかり易いものとなる。しかし，色覚異常者（色弱者）にとっては，色の区別が認識できないことが多く，かえって見え難くなる。さらに，カラー表示は，モノクロ表示と比べてコントラストが低く，図９に示すように可視範囲が狭い。そのため，操作パネルを覗き込むことができない者，例えば車椅子利用者や子供にとっても見え難いものになってしまう。
【０００５】
本発明は，前記した従来の画像形成装置が有する問題点を解決するためになされたものである。すなわちその課題とするところは，操作者の身体的特徴によらず，表示画面の表示内容を認識し易い画像形成装置を提供することにある。
【課題を解決するための手段】
【０００６】
この課題の解決を目的としてなされた画像形成装置は，出力条件の表示を行う表示部を有し，その出力条件に従って画像を形成する画像形成装置であって，表示部の表示モードとして，カラー表示を行うカラーモードと，モノクロ表示を行うモノクロモードとの選択が可能であり，表示モードの設定情報を検知する表示属性検知部と，表示属性検知部にて検知された設定情報に応じて表示モードを選択する表示モード選択部と，表示モード選択部にて選択された表示モードに応じて表示部を制御する表示制御部とを有するものである。
【０００７】
すなわち，本発明の画像形成装置は，カラー表示（カラーモード）とモノクロ表示（モノクロモード）との切換えが可能な表示部を備えている。そして，この表示部にて出力条件の詳細を表示している。また，表示属性検知部にて表示モードの設定情報を検知し，表示モード選択部にてその設定情報を基に表示部の表示モードを選択している。そして，表示制御部にて表示モードに応じて表示部の表示内容を決定している。これにより，操作者に応じた表示を行うことが可能となる。
【０００８】
なお，表示モードの設定情報としては，例えば，表示部に表示モードの切換キーを設け，その切換えキーの入力によってカラー表示とモノクロ表示とを切り換えるとすると，その切換えキーの入力が表示モードの設定情報となる。このキー入力による表示モードの切換えによれば，操作者自身によって自由に表示モードを切り換えることが可能になり，操作者に応じて見易い画面に切り換えることができる。また，その切換えは，キー操作等によって容易に行うことができる。
【０００９】
また，本発明の別の画像形成装置は，出力条件の表示を行うとともに傾斜角度の調節が可能な表示部を有し，その出力条件に従って画像を形成する画像形成装置であって，表示部の表示モードとして，カラー表示を行うカラーモードと，モノクロ表示を行うモノクロモードとの選択が可能であり，表示部の傾斜角度を検知する角度検知部と，角度検知部にて検知された傾斜角度に応じて表示モードを選択する表示モード選択部と，表示モード選択部にて選択された表示モードに応じて表示部を制御する表示制御部とを有するものである。
【００１０】
この画像形成装置の表示部は，傾斜角度の調節が可能である。そのため，操作者は，操作者自身の手によって，見易い角度に調節することが可能である。さらに，角度検知部にてその傾斜角度を検知し，検知した傾斜角度に応じて自動的に表示モードを切り換えている。これにより，表示部は，特別な操作をすることなく操作者にとって常に見易いものとなる。
【００１１】
なお，表示部の周囲の明るさを検知し，その明るさに応じて自動的に表示モードを切り換えるとしてもよい。そうすることにより，例えば，表示部の周囲が暗く，その表示内容が見難くなったとき，自動的にカラー表示からモノクロ表示に切り換えることができる。すなわち，周辺環境の変化に応じて，解像度やコントラストを高くし，表示内容を見易くすることができる。また，表示部の傾斜角度と表示部の周囲の明るさとをともに検知し，それらの情報を基に表示モードを切り換えるとしてもよい。
【００１２】
また，本発明の別の画像形成装置は，出力条件の表示を行う表示部を有し，その出力条件に従って画像を形成する画像形成装置であって，表示部の表示モードとして，カラー表示を行うカラーモードと，モノクロ表示を行うモノクロモードとの選択が可能であり，操作者の情報を記憶する操作者情報記憶部と，操作者の情報を取得する操作者情報取得部と，操作者情報取得部にて取得された情報を操作者情報記憶部にて記憶されている情報と照合することにより操作者を特定する操作者特定部と，操作者特定部にて特定された操作者に応じて表示モードを選択する表示モード選択部と，表示モード選択部にて選択された表示モードに応じて表示部を制御する表示制御部とを有するものである。
【００１３】
すなわち，この画像形成装置では，あらかじめ操作者情報記憶部に操作者を特定するための情報が記憶されている。そして，操作者情報取得部にて操作者の情報を取得することにより，その情報と操作者情報記憶部に記憶されている情報とを照合し，操作者を特定している。そして，表示モード切換部にて特定した操作者に最適な表示モードに切り換えている。これにより，操作者に適した表示を行うことが可能となる。
【００１４】
なお，操作者の情報としては，例えば操作者ごとに割り当てられた認識番号や操作者の指紋等がある。特に認識番号によって操作者を区別する場合には，操作者を特定する手順が容易であり，低コストでシステムを確立することができる。また，操作者の指紋や網膜等の身体的特徴によって操作者を区別する場合には，操作者の手間が少なく，入力ミス等による誤認表示を防止することができる。
【００１５】
また，本発明の別の画像形成装置は，出力条件の表示を行う表示部を有し，その出力条件に従って画像を形成する画像形成装置であって，表示部の表示モードとして，カラー表示を行うカラーモードと，モノクロ表示を行うモノクロモードとの選択が可能であり，画像形成装置の出力条件がカラー画像出力であればカラーモードを選択し，画像形成装置の出力条件がモノクロ画像出力であればモノクロモードを選択する表示モード選択部と，表示モード選択部にて選択された表示モードに応じて表示部を制御する表示制御部とを有するものである。
【００１６】
すなわち，この画像形成装置では，画像形成装置の出力条件に応じて表示部の表示モードを切り換えている。具体的には，画像形成装置の出力条件がカラー画像出力であれば，表示部の表示モードをカラーモードとし，画像形成装置の出力条件がモノクロ画像出力であれば，表示部の表示モードをモノクロモードとしている。これにより，操作者は，表示部を見るだけで，出力条件がカラー画像出力であるかモノクロ画像出力であるかを認識することができる。よって，誤作動を防止することができる。
【００１７】
また，表示切換モードとして，表示モードを操作者が手動で切り換える手動切換モードと，表示モードを自動的に切り換える自動切換モードとを備えてもよい。これにより，手動切換モードである場合には，表示部を操作者が希望する表示モードにすることができる。よって，操作者が所望する表示を行うことが可能となる。また，自動切換モードである場合には，特別な操作を行うことなく表示部を適切な表示モードにすることができる。よって，操作者の手間を省くことができる。
【発明の効果】
【００１８】
本発明によれば，出力条件の表示を行う表示画面の表示モードをカラーモードとモノクロモードとで選択することができる。すなわち，操作者の操作により，あるいは自動的に操作者に適した表示モードを選択することができる。よって，操作者の身体的特徴によらず，表示画面の表示内容を認識し易い画像形成装置が提供されている。
【発明を実施するための最良の形態】
【００１９】
以下，本発明を具体化した実施の形態について，添付図面を参照しつつ詳細に説明する。なお，本実施の形態は，電子写真方式の複写機に本発明を適用したものである。
【００２０】
本形態の複写機１は，電子写真方式のデジタル複写機であり，図１に示すように原稿を１枚ずつ分離した状態で自動的に搬送する原稿自動搬送部１０と，原稿の画像を読み撮る画像読撮部３０と，記録紙上に画像を形成する画像形成部５０と，記録紙を供給する給紙部７０とを備えている。
【００２１】
原稿自動搬送部１０は，原稿給紙トレイ１１と，排紙トレイ１２と，プラテンガラス２０とを備えている。原稿自動搬送部１０では，原稿給紙トレイ１１上にセットされた原稿が１枚ずつ自動的にプラテンガラス２０上の所定の位置に搬送される。そして，原稿読撮部３０にて原稿の画像を読み撮った後，その原稿が排紙トレイ１２上に排出される。
【００２２】
画像読撮部３０は，プラテンガラス２０の下方を図１中の矢印Ａ方向に走行する第１スライダユニット３１を備えている。第１スライダユニット３１は，移動の開始位置（走査開始位置，シェーディング補正板２２の真下の位置）を左端とし，原稿読み撮り位置に搬送された原稿の大きさ等に応じた所定の距離を矢印Ａで示した方向に移動することによって原稿の画像を読み撮ることができる。画像読撮部３０は，露光ランプ３１１の照射によって得られる原稿の反射光を第１ミラー３１２，第２ミラー３２１，第３ミラー３２２によって光路変更しつつ，レンズ３４を介してＣＣＤセンサ３３に結像させる。ＣＣＤセンサ３３では，入射光が電気信号に変換され，その電気信号が原稿データとして制御部１００に送られる。
【００２３】
制御部１００では，送られてきた原稿データに対してシェーディング補正，位置ずれ補正，明度／色空間変換，ガンマ補正，枠消し，色／移動編集等の画像処理が行われ，画像処理後のデータが画像データとして画像格納部に記憶される。そして，画像形成時には画像データが画像格納部から読み出され，その画像データが階調データに変換される。そして，その階調データを基に記録紙の搬送と同期して半導体レーザ５８が駆動される。
【００２４】
画像形成部５０は，感光体ドラム５１，レーザダイオード５８，ポリゴンミラー５９，帯電チャージャ５３，現像器５４，転写チャージャ５５，分離チャージャ５６，クリーナ５２等を備えている。そして，制御部１００から出力された駆動信号を基にレーザダイオード５８からレーザ光が射出される。射出されたレーザ光は，一定速度で回転駆動されるポリゴンミラー５９にて偏向走査され，図１中の矢印Ｂ方向に回転駆動される感光体ドラム５１上に照射される。
【００２５】
また，感光体ドラム５１の表面は，クリーナ５２によって残留トナーが除去され，帯電チャージャ５３により一様に帯電されている。そして，感光体ドラム５１の表面は，レーザ光が照射されることにより露光走査され，静電潜像が形成される。そして，その静電潜像は，現像器５４により現像されてトナー像となり，転写チャージャ５５により給紙部７０から搬送されてくる記録紙上に転写される。
【００２６】
トナー像が転写された記録紙は，分離チャージャ５６により感光体ドラム５１から分離し，搬送ベルト５７により定着部６０に搬送される。そして，定着部６０での加熱圧着作用により，トナー像が記録紙上に定着する。定着後の記録紙は，排紙ローラ６２により排紙トレイ６３上に排出される。
【００２７】
給紙部７０は，記録紙を収納する給紙カセット７１，７２と，この記録紙を送り出すためのピックアップローラ７１１，７２１を備え，画像形成部５０に指示されたサイズの記録紙を供給する。
【００２８】
また，複写機１の前面には，傾斜角度の変更が可能な操作パネル９０が設置されている。図２は，操作パネル９０の構成を示している。操作パネル９０は，コピー開始の指示等を行うためのスタートキー９１と，コピー枚数等の値を入力するためのテンキー９２と，コピー動作の中断を指示するためのストップキー９４と，各種機能を設定やメッセージの表示を行うための液晶表示部９５とを備えている。具体的に，液晶表示部９５は，表面にタッチパネルが積層されており，コピー濃度，コピー倍率，用紙選択，コピーモード，予約コピー等の設定の入力を受け付けるものである。さらには，コピー枚数の表示や複写機１の状態を示すメッセージの表示を行うものである。
【００２９】
また，操作パネル９０の液晶表示部９５は，カラー表示（カラーモード）とモノクロ表示（モノクロモード）とを切り換える機能を有している。カラー表示では，表示内容が複雑であっても，色使いを工夫することにより見易い画面を提供することができる。一方，モノクロ表示では，高コントラスト，高解像度であるため，操作者の視点や周囲の明るさにより表示内容の見易さが左右されることは少ない。よって，操作者や装置の使用環境に応じてカラー表示とモノクロ表示とを切り換えることにより，それぞれの長所を生かすことができる。なお，操作パネル９０には，表示モードの切換えを行うための切換キー９３が設けられている。
【００３０】
以下，操作パネル９０のカラー表示／モノクロ表示の切換え制御，すなわち表示モードの切換え制御について幾つか例示する。
【００３１】
［第１の形態］
第１の形態の操作パネル９０には，あらかじめ表示モードの切換え条件として，切換キー９３の入力が設定されている。そして，切換キー９３の入力を検知し，その結果を基に表示モードの切換えを行う。
【００３２】
本形態の操作パネル９０は，図３のブロック構成図に示すように設定情報検知部９０１と，表示モード選択部９０２と，表示制御部９０３とを備えている。設定情報検知部９０１は，表示モードの切換え条件として割り当てられたキー入力やタッチパネル入力を検知するものである。表示モード選択部９０２は，検知された設定内容に応じて表示モードを選択するものである。表示制御部９０３は，表示モード選択部９０２の指示に応じて液晶表示部９５の表示内容を切り換えるものである。
【００３３】
本形態の操作パネル９０は，次のように動作する。まず，設定情報検知部９０１にて表示モードの切換えのために設定された情報を検知する。具体的に本形態では，操作パネル９０に設けられた切換キー９３のオンオフを検知する。検知の有無は，電気信号となって表示モード選択部９０２に伝えられる。
【００３４】
なお，この表示モードの切換検出手段としては，液晶表示部９５内に切換ボタンを表示し，液晶表示部９５のタッチを検出するとしてもよい。この他，省電力モードの設定等の他の条件に連動させる方法，時間経過による方法，ジャム等のトラブルに連動させる方法等がある。
【００３５】
表示モード選択部９０２では，検知された設定に応じて表示モードを選択し，その選択に沿った指示を表示制御部９０３に送る。表示制御部９０３では，表示モード選択部９０２からの指示に応じてカラー表示／モノクロ表示の切換えを行う。これにより，カラー表示／モノクロ表示の切換え制御が可能となる。特に本形態では，操作パネル９０上のキー入力によってカラー表示／モノクロ表示の切換えを可能としているため，操作者がその場に応じて見易い表示に容易に切り換えることができる。
【００３６】
［第２の形態］
第２の形態の操作パネル９０は，操作パネル９０の角度と，操作パネル９０の周囲の明るさとの少なくとも一方から表示モードの切換えを判断する。そのため，本形態の操作パネル９０は，図４のブロック構成図に示すように操作パネル９０の角度を検出する角度検出部９０４と，操作パネル９０の周囲の明るさを検出する明るさ検出部９０５とを有している。
【００３７】
本形態の操作パネル９０は，次のように動作する。まず，角度検出部９０４にて操作パネル９０の角度を検知する。あるいは，明るさ検出部９０５にて操作パネル９０の周囲の明るさを検知する。検知した値は，電気信号となって表示モード選択部９０２に伝えられる。
【００３８】
表示モード選択部９０２では，検知された値に応じて最適な表示モードを選択し，その選択に沿った指示を表示制御部９０３に送る。表示制御部９０３では，表示モード選択部９０２からの指示に応じてカラー表示／モノクロ表示の切換えを行う。これにより，操作パネル９０の角度もしくは周囲の明るさにより自動的にカラー表示／モノクロ表示の切換えが行われる。そのため，操作者が特別な操作を行うことなく，また特別な操作を知ることなく常に見やすい画面を提供することができる。
【００３９】
［第３の形態］
第３の形態の操作パネル９０では，操作者の情報をあらかじめ表示モードの切換え条件として登録しておく。そして，操作者の情報を基に表示モードを選択し，カラー表示／モノクロ表示の切換えを行う。そのため，本形態の操作パネル９０は，図５のブロック構成図に示すように操作者を特定する操作者特定部９０６と，操作者の情報を記憶する操作者情報記憶部９０７とを有している。
【００４０】
本形態の操作パネル９０は，次のように動作する。まず，操作者特定部９０６に操作者の情報が入力される。そして，操作者特定部９０６では，入力された情報と操作者情報記憶部９０７に記憶されている操作者の情報と照合し，操作者を特定する。そして，特定した操作者の情報は，表示モード選択部９０２に送られる。なお，入力される操作者の情報としては，例えば操作者の登録番号や操作者の指紋，網膜，音声，目の色がある。また，その情報を入力する手段としては，例えば操作パネル９０に設けられたキーや，指紋認識機器がある。また，外部端末装置によって得られた指紋情報等を取得してもよい。
【００４１】
表示モード選択部９０２では，操作者情報入力部９０６から送られてきた操作者情報に応じて最適な表示モードを選択し，その選択に沿った指示を表示制御部９０３に送る。表示制御部９０３では，表示モード選択部９０２からの指示に応じてカラー表示／モノクロ表示の切換えを行う。例えば，色弱者について操作者の情報としてあらかじめモノクロ表示となるように登録しておけば，使用時にモノクロ表示に切り換えることができる。これにより，操作者ごとに登録されている表示モードに切り換えることができ，操作者ごとに常に見やすい画面を提供することができる。
【００４２】
［第４の形態］
第４の形態の操作パネル９０は，出力条件がカラー画像出力であるかモノクロ画像出力であるかによって表示モードの切換えを判断する。そのため，本形態の操作パネル９０は，図６のブロック構成図に示すように出力条件の設定を検知する出力条件検知部９０８を有している。
【００４３】
本形態の操作パネル９０は，次のように動作する。まず，出力条件検知部９０８にて出力条件がカラー画像出力であるかモノクロ画像出力であるかを検知する。検知した情報は，表示モード選択部９０２に送られる。
【００４４】
表示モード選択部９０２では，検知された出力条件に応じて表示モードを選択し，その選択に沿った指示を表示制御部９０３に送る。表示制御部９０３では，表示モード選択部９０２からの指示に応じてカラー表示／モノクロ表示の切換えを行う。これにより，出力条件がカラー画像出力であるかモノクロ画像出力であるかを液晶表示部９５を見るだけで容易に認知することができる。そのため，例えば液晶表示部９５がカラー表示されている場合には出力条件がカラー画像出力であることが認知できるため，モノクロ画像を出力したい場合に誤ってカラー画像を出力してしまう事態を回避することができる。
【００４５】
［第５の形態］
第５の形態の操作パネル９０は，第４の形態の応用例であり，出力条件による自動切換機能に加え，操作者による手動切換機能が付加されている。そのため，本形態の操作パネル９０は，図７のブロック構成図に示すように出力条件の設定を検知する出力条件検知部９０８に加え，自動切換機能のオンオフ設定を検知する表示切換モード検知部９０９を有している。
【００４６】
本形態の操作パネル９０は，次のように動作する。まず，表示切換モード検知部９０９にて自動切換え／手動切換えの選択のために設定された情報，例えば，操作パネル９０に設けられたパネルキーの入力を検知する。
【００４７】
自動切換えを行う場合には，出力条件検知部９０８にて出力条件がカラー画像出力であるかモノクロ画像出力であるかを検知する。自動切換えを行わない，すなわち手動切換えの場合には，設定情報検知部９０１にて表示モードの切換えのために設定された情報を検知する。検知した情報は，表示モード選択部９０２に送られる。
【００４８】
表示モード選択部９０２では，自動切換えを行う場合には，検知された出力条件に応じて表示モードを選択し，その選択に沿った指示を表示制御部９０３に送る。自動切換えを行わない場合には，設定情報検知部９０１にて検知された設定情報に応じて表示モードを選択し，その選択に沿った指示を表示制御部９０３に送る。表示制御部９０３では，表示モード選択部９０２からの指示に応じてカラー表示／モノクロ表示の切換えを行う。
【００４９】
すなわち，第４の形態では，操作者がカラー表示にしたいときでも自動的にモノクロ表示になってしまう可能性がある。また，その逆に，モノクロ表示にしたいときでも自動的にカラー表示になってしまう可能性がある。そのため，手動切換機能を設け，操作者が希望する表示設定に切り換えることができるようにしている。また，自動切換機能を設けることで，操作者の手間を軽減することができる。
【００５０】
［第６の形態］
第６の形態の操作パネル９０は，第２の形態の応用例であり，操作パネル９０の角度あるいは操作パネル９０の周囲の明るさによる自動切換機能に加え，操作者による手動切換機能が付加されている。そのため，本形態の操作パネル９０は，図８のブロック構成図に示すように角度検知部９０４および明るさ検知部９０５に加え，自動切換機能のオンオフ設定を検知する表示切換モード検知部９０９を有している。
【００５１】
本形態の操作パネル９０は，次のように動作する。まず，表示切換モード検知部９０９にて自動切換え／手動切換えの選択のために設定された情報，例えば，操作パネル９０に設けられたパネルキーの入力を検知する。
【００５２】
自動切換えを行う場合には，角度部９０４にて出力モードがカラー画像モードかモノクロ画像モードかを検知する。自動切換えを行わない場合には，設定情報検知部９０１にて表示モードの切換えのために設定された情報を検知する。検知した情報は，表示モード選択部９０２に送られる。
【００５３】
表示モード選択部９０２では，自動切換えを行う場合には，角度検出部９０４にて操作パネル９０の角度を検知する。あるいは，明るさ検出部９０５にて操作パネル９０の周囲の明るさを検知する。そして，検知された値に応じて最適な表示モードを選択し，その選択に沿った指示を表示制御部９０３に送る。自動切換えを行わない場合には，設定情報検知部９０１にて検知された設定情報に応じて表示モードを選択し，その選択に沿った指示を表示制御部９０３に送る。表示制御部９０３では，表示モード選択部９０２からの指示に応じてカラー表示／モノクロ表示の切換えを行う。
【００５４】
すなわち，第６の形態では，第５の形態と同様に，手動切換機能を設けることで，操作者が希望する表示設定に切り換えることができるようになる。また，自動切換機能を設けることで，操作者の手間を軽減することができる。
【００５５】
以上詳細に説明したように本形態の複写機１の操作パネル９０は，カラー表示とモノクロ表示とを切り換えることが可能な液晶表示部９５を有することとしている。そして，操作パネル９０に設けられたキーの入力等によってカラー表示／モノクロ表示の切換えを行うこととしている。そのため，操作者の身体的特徴に応じて見易い表示に変更することができる。よって，操作者の身体的特徴によらず，操作パネルの表示画面の表示内容を認識し易い画像形成装置が実現している。
【００５６】
なお，本実施の形態は単なる例示にすぎず，本発明を何ら限定するものではない。したがって本発明は当然に，その要旨を逸脱しない範囲内で種々の改良，変形が可能である。例えば，実施の形態では複写機に本発明を適用しているがこれに限るものではない。すなわち，プリンタ，スキャナ，ＦＡＸあるいはワードプロセッサ等であっても適用可能である。また，コピー機能やプリンタ機能等の複数の機能を備えた複合機であってもよい。
【００５７】
また，本実施の形態では，設定内容を表示する液晶表示部９５が操作パネル９０に付設されて一体化しているが，これに限るものではない。すなわち，入力キーと表示画面とが別々に設けられているとしてもよい。
【図面の簡単な説明】
【００５８】
【図１】実施の形態に係る複写機を示す断面図である。
【図２】実施の形態に係る複写機の操作パネルを示す図である。
【図３】第１の形態に係る操作部のブロック構成図である。
【図４】第２の形態に係る操作部のブロック構成図である。
【図５】第３の形態に係る操作部のブロック構成図である。
【図６】第４の形態に係る操作部のブロック構成図である。
【図７】第５の形態に係る操作部のブロック構成図である。
【図８】第６の形態に係る操作部のブロック構成図である。
【図９】カラー／モノクロ表示の可視範囲と，車椅子利用者が操作パネルを覗き込む時のイメージとを示す図である。
【符号の説明】
【００５９】
１      複写機（画像処理装置）
９０    操作パネル
９５    液晶表示部（表示部）
１００  制御部
９０１  設定情報検知部（表示属性検知部）
９０２  表示モード選択部（表示モード選択部）
９０３  表示制御部（表示制御部）
９０４  角度検出部（角度検出部）
９０５  明るさ検出部（明るさ検出部）
９０６  操作者特定部（操作者情報取得部，操作者特定部）
９０７  操作者情報記憶部（操作者情報記憶部）
９０８  出力条件検知部
９０９  表示切換モード検知部
【図１】
2005342951.tif 000003
【図２】
2005342951.tif 000004
【図３】
2005342951.tif 000005
【図４】
2005342951.tif 000006
【図５】
2005342951.tif 000007
【図６】
2005342951.tif 000008
【図７】
2005342951.tif 000009
【図８】
2005342951.tif 000010
【図９】
2005342951.tif 000011